(57)【特許請求の範囲】
【請求項１】
室内の壁面における出隅部に装着される幅木用または廻り縁用のコーナーパーツであって、
少なくとも、一端側に幅木または廻り縁の端部表面を覆うカバー部を有する平面Ｌ字型のパーツ本体と、
前記パーツ本体に連設された、前記カバー部との間に幅木の端部を挟み込む羽根部材と、
前記羽根部材の基端部を前記カバー部に連結するリブと
を備え、
前記リブは、前記カバー部の中間高さ位置から略水平に張り出していることを特徴とするコーナーパーツ。
【請求項２】
室内の壁面における出隅部において、その両側に配設される幅木または廻り縁を直角に連結するコーナーパーツであって、
幅木または廻り縁の端部表面を覆う一対のカバー部が略９０度の角度をなすように相互に連設されたパーツ本体と、
前記パーツ本体における一方の前記カバー部との間に幅木または廻り縁の端部を挟み込む、他方の前記カバー部の裏面から張り出した羽根部材と、
前記羽根部材の基端部を一方の前記カバー部に連結するリブと
を備えていることを特徴とするコーナーパーツ。
【請求項３】
室内の壁面における出隅部において、その両側に配設される幅木または廻り縁を直角に連結するコーナーパーツであって、
幅木または廻り縁の端部表面を覆う一対のカバー部が略９０度の角度をなすように相互に連設されたパーツ本体と、
それぞれの前記カバー部との間に、室内の壁面における出隅部の両側に配設される幅木または廻り縁の端部をそれぞれ挟み込む羽根部材と、
一方の前記羽根部材の基端部を、その羽根部材との間に幅木または廻り縁の端部を挟み込む一方の前記カバー部に連結するリブとを備え、
前記リブは、前記カバー部の中間高さ位置から略水平に張り出していることを特徴とするコーナーパーツ。
【請求項４】
一方の前記羽根部材には、幅木または廻り縁と接触する面に複数の溝または凹部が形成されている請求項１、２または３に記載のコーナーパーツ。
【請求項５】
一方の前記羽根部材が、前記カバー部から幅木または廻り縁の延出方向に張り出しており、その張出部分における幅木または廻り縁と接触する面に複数の溝または凹部が形成されている請求項１、２、３または４に記載のコーナーパーツ。
【請求項６】
前記パーツ本体の前面に横方向に延びる窪み部が形成されており、その窪み部に前記リブが連結されている請求項１、２、３、４または５に記載のコーナーパーツ。
【発明の詳細な説明】
【技術分野】
【０００１】
この発明は、室内の壁面の出隅コーナー部を覆う幅木または廻り縁等の造作材用のコーナーパーツに関する。
【背景技術】
【０００２】
幅木用のコーナーパーツとしては、例えば、図１９に示すようなものがある。このコーナーパーツ５０は、同図に示すように、左右の幅木の端部表面に被せて出隅部を形成するパーツ本体５１と、このパーツ本体５１の裏面側に支持部材５３を介して連設された、パーツ本体５１との間に幅木６０の端部を挟み込む羽根部材５２とを備えており、以下のようにして装着される。
【０００３】
まず、図２０に示すように、幅木６０の端部を内壁ＩＷの出隅部近傍に固定しないように、内壁ＩＷの出隅部近傍以外の部分に幅木６０を釘止めした後、羽根部材５２を内壁ＩＷの出隅部の上方から内壁ＩＷの壁面に沿って降下させると、図２１に示すように、内壁ＩＷの壁面と幅木６０の端部との間に羽根部材５２が挟み込まれた状態で、パーツ本体５１と羽根部材５２との間に幅木６０の端部が挟み込まれ、コーナーパーツ５０が内壁ＩＷの出隅部に固定される。
【先行技術文献】
【特許文献】
【０００４】
【特許文献１】実用新案登録第３１２７１４７号公報
【発明の概要】
【発明が解決しようとする課題】
【０００５】
ところで、近年は、壁面の凹凸をできるだけ少なくして、すっきりしたイメージを与えたいという要望があり、図２２に示すように、内壁ＩＷの壁厚よりも幅狭の枠材ＦＭを、内壁ＩＷの外側に突出させないように、内壁ＩＷの端面に取り付けた内壁ＩＷの端部構造が採用されるようになってきているが、このように、枠材ＦＭが内壁ＩＷの壁厚よりも幅狭になると、枠材ＦＭを取り付ける内壁ＩＷにおける端面のコーナー部ＣＰについても、幅木等のコーナーパーツを装着する必要がある。
【０００６】
しかしながら、枠材ＦＭと内壁ＩＷのコーナー部ＣＰとの間に十分な距離を確保することができないので、内壁ＩＷの端面に取り付ける幅木６０自体の長さが短くなり、幅木６０を内壁ＩＷの出隅部近傍で釘止めせざるを得ず、その釘が障害となってコーナーパーツを嵌め込むことができない場合がある。
【０００７】
こういった問題を解決するために、図２３に矢印で示すように、予めコーナーパーツ５０を幅木６０の端部に装着した状態で、短い幅木６０を内壁ＩＷの壁面に接着固定することが考えられるが、床を掃除機等で掃除する際、同図に矢印で示すように、コーナーパーツ５０におけるパーツ本体５１の端部に掃除機が衝突する等の衝撃が加わると、その衝撃によって、接着固定されている短い枠材ＦＭ側の幅木が内壁ＩＷから剥がれてしまうと共に、幅木６０を挟み込んでいるパーツ本体５１と羽根部材５２とが相対的に開き、コーナーパーツ５０の内壁ＩＷへの固定が解除されるという問題がある。
【０００８】
そこで、この発明の課題は、いずれか一方側を十分に固定することができない場合であっても、他方側だけで壁面の出隅部に十分に固定することができる造作材用のコーナーパーツを提供することにある。
【課題を解決するための手段】
【０００９】
上記の課題を解決するため、請求項１に係る発明は、室内の壁面における出隅部に装着される幅木用または廻り縁用のコーナーパーツであって、少なくとも、一端側に幅木または廻り縁の端部表面を覆うカバー部を有する平面Ｌ字型のパーツ本体と、前記パーツ本体に連設された、前記カバー部との間に幅木の端部を挟み込む羽根部材と、前記羽根部材の基端部を前記カバー部に連結するリブとを備え、 前記リブは、前記カバー部の中間高さ位置から略水平に張り出していることを特徴とするコーナーパーツを提供するものである。
【００１０】
また、上記の課題を解決するため、請求項２に係る発明は、室内の壁面における出隅部において、その両側に配設される幅木または廻り縁を直角に連結するコーナーパーツであって、幅木または廻り縁の端部表面を覆う一対のカバー部が略９０度の角度をなすように相互に連設されたパーツ本体と、前記パーツ本体における一方の前記カバー部との間に幅木または廻り縁の端部を挟み込む、他方の前記カバー部の裏面から張り出した羽根部材と、前記羽根部材の基端部を一方の前記カバー部に連結するリブとを備えていることを特徴とするコーナーパーツを提供するものである。
【００１１】
また、上記の課題を解決するため、請求項３に係る発明は、室内の壁面における出隅部において、その両側に配設される幅木または廻り縁を直角に連結するコーナーパーツであって、幅木または廻り縁の端部表面を覆う一対のカバー部が略９０度の角度をなすように相互に連設されたパーツ本体と、それぞれの前記カバー部との間に、室内の壁面における出隅部の両側に配設される幅木または廻り縁の端部をそれぞれ挟み込む羽根部材と、一方の前記羽根部材の基端部を、その羽根部材との間に幅木または廻り縁の端部を挟み込む一方の前記カバー部に連結するリブとを備え、前記リブは、前記カバー部の中間高さ位置から略水平に張り出していることを特徴とするコーナーパーツを提供するものである。
【００１２】
また、請求項４に係る発明は、請求項１、２または３に係る発明のコーナーパーツにおいて、一方の前記羽根部材には、幅木または廻り縁と接触する面に複数の溝または凹部が形成されていることを特徴としている。
【００１３】
また、請求項５に係る発明は、請求項１、２、３または４に係る発明のコーナーパーツにおいて、一方の前記羽根部材が、前記カバー部から幅木または廻り縁の延出方向に張り出しており、その張出部分における幅木または廻り縁と接触する面に複数の溝または凹部が形成されていることを特徴としている。
【００１４】
また、請求項６に係る発明は、請求項１、２、３、４または５に係る発明のコーナーパーツにおいて、前記パーツ本体の前面に横方向に延びる窪み部が形成されており、その窪み部に前記リブが連結されていることを特徴としている。
【発明の効果】
【００１５】
以上のように、請求項１に係る発明のコーナーパーツは、一端側のカバー部との間に幅木の端部を挟み込む羽根部材の基端部が、リブによって一端側のカバー部に連結されており、そのリブは、カバー部の中間高さ位置から略水平に張り出しているので、幅木または廻り縁の端部をカバー部と羽根部材との間に差し込んで接着固定し、幅木または廻り縁を壁面に釘止めすると、コーナーパーツに掃除機等をぶつけることによって、コーナーパーツ自体が回転する方向に外力が加わっても、その外力によって羽根部材とカバー部とが相対的に開きにくい。従って、コーナーパーツの他端側を壁面に十分に固定することができない場合であっても、コーナーパーツ全体をその一端側だけで壁面の出隅部に確実に固定することができる。
【００１６】
また、請求項２に係る発明のコーナーパーツは、パーツ本体における一方のカバー部との間に幅木の端部を挟み込む、他方のカバー部の裏面から張り出した羽根部材の基端部が、リブによって一方のカバー部に連結されているので、請求項１に係る発明のコーナーパーツと同様に、幅木または廻り縁の端部を一方のカバー部と羽根部材との間に差し込んで接着固定し、幅木または廻り縁を壁面に釘止めすると、コーナーパーツに掃除機等をぶつけることによって、コーナーパーツ自体が回転する方向に外力が加わっても、その外力によって羽根部材とカバー部とが相対的に開きにくく、他方のカバー部に装着される幅木または廻り縁が短くて壁面に釘止めすることができない等の理由によって、コーナーパーツにおけるパーツ本体の他方側を壁面に十分に固定することができない場合であっても、コーナーパーツ全体をパーツ本体の一方側だけで壁面の出隅部に確実に固定することができる。
【００１７】
また、請求項３に係る発明のコーナーパーツは、一方の羽根部材の基端部が、その羽根部材との間に幅木または廻り縁の端部を挟み込む一方のカバー部にリブによって連結されており、そのリブは、カバー部の中間高さ位置から略水平に張り出しているので、幅木または廻り縁の端部をカバー部と羽根部材との間にそれぞれ差し込んで接着固定し、一方のカバー部と一方の羽根部材との間に挟み込まれた幅木または廻り縁を壁面に釘止めすると、請求項１に係る発明のコーナーパーツと同様に、コーナーパーツに掃除機等をぶつけることによって、コーナーパーツ自体が回転する方向に外力が加わっても、その外力によって一方の羽根部材と一方のカバー部とが相対的に開きにくく、他方のカバー部と他方の羽根部材との間に挟み込まれた幅木または廻り縁が短くて壁面に釘止めすることができない等の理由によって、パーツ本体における他方側を壁面に十分に固定することができない場合であっても、コーナーパーツ全体をパーツ本体の一方側だけで壁面の出隅部に確実に固定することができる。
【００１８】
また、請求項４に係る発明のコーナーパーツは、一方の羽根部材における幅木または廻り縁と接触する面に複数の溝または凹部が形成されているので、その溝または凹部が形成された部分に接着剤を塗布した状態で、幅木または廻り縁の端部をカバー部と羽根部材との間に差し込んで装着すると、複数の溝または凹部が形成された羽根部材のアンカー効果によって、幅木または廻り縁に対する羽根部材の接着力が向上する。従って、コーナーパーツが装着された幅木または廻り縁を壁面に釘止めすると、コーナーパーツに掃除機等をぶつけることによって、コーナーパーツの端部に外力が加わっても、その外力によって、コーナーパーツが幅木または廻り縁から外れることがなく、さらに、コーナーパーツの固定性能が向上する。
【００１９】
また、請求項５に係る発明のコーナーパーツは、一方の羽根部材が、カバー部から幅木または廻り縁の延出方向に張り出しており、その張出部分における幅木または廻り縁と接触する面に複数の溝または凹部が形成されているので、接着剤を塗布しやすいという効果が得られる。
【００２０】
また、請求項６に係る発明のコーナーパーツは、パーツ本体の前面に横方向に延びる窪み部が形成されており、その窪み部にリブが連結されているので、リブが変形することによって、リブの連結部が白化したとしても、目立ちにくく、体裁を損ねることもない。
【図面の簡単な説明】
【００２１】
【図１】この発明に係るコーナーパーツの一実施形態を採用した内壁の壁面開口部にドア枠及びドアを取り付けた状態を示す正面図である。
【図２】同上の内壁の壁面開口部の縦枠部分を示す部分斜視図である。
【図３】（ａ）は同上の内壁の壁面開口部の縦枠部分を示す部分側面図、（ｂ）は同上の部分正面図である。
【図４】壁仕上材（クロス）を貼着する前の図３（ａ）のＸ−Ｘ線に沿った断面図である。
【図５】図３（ａ）のＹ−Ｙ線に沿った断面図である。
【図６】（ａ）は同上の内壁を構成しているコーナー下地材を示す斜視図、（ｂ）は同上のコーナー下地材を示す端面図である。
【図７】（ａ）は同上のコーナーパーツを示す平面図、（ｂ）は同上のコーナーパーツを示す正面図、（ｃ）は同上のコーナーパーツを示す底面図である。
【図８】（ａ）は同上のコーナーパーツを示す右側面図、（ｂ）は同上のコーナーパーツを示す左側面図である。
【図９】（ａ）、（ｂ）は同上の内壁の端部構造の施工方法を示す工程図である。
【図１０】（ａ）、（ｂ）は同上の内壁の端部構造の施工方法を示す工程図である。
【図１１】同上の内壁の端部構造の施工方法を示す工程図である。
【図１２】（ａ）、（ｂ）は同上の内壁の端部構造の施工方法を示す工程図である。
【図１３】（ａ）はコーナーパーツの他の実施形態を示す平面図、（ｂ）は同上のコーナーパーツを示す底面図である。
【図１４】同上のコーナーパーツを壁面の出隅部に装着した状態を示す横断面図である。
【図１５】（ａ）はコーナーパーツの他の実施形態を示す平面図、（ｂ）は同上のコーナーパーツを示す底面図である。
【図１６】同上のコーナーパーツを壁面の出隅部に装着した状態を示す横断面図である。
【図１７】同上のコーナーパーツの変形例を示す平面図である。
【図１８】（ａ）、（ｂ）、（ｃ）はコーナーパーツの変形例を示す左側面図である。
【図１９】従来のコーナーパーツを示す斜視図である。
【図２０】同上のコーナーパーツの装着方法を説明するための説明図である。
【図２１】同上のコーナーパーツを出隅部に装着した状態を示す断面図である。
【図２２】近年採用され始めた従来の内壁の端部構造を示す断面図である。
【図２３】近年採用され始めた従来の内壁の端部構造の問題点を説明するための断面図である。
【発明を実施するための形態】
【００２２】
以下、実施の形態について図面を参照して説明する。図１は、内壁１０に形成された壁面開口部にドア枠２０を設置し、このドア枠２０にドアＤを取り付けた状態を示している。このドア枠２０は、左右一対の縦枠２１、２１と、この縦枠２１、２１をその上端部で連結する上枠２２とから構成されており、縦枠２１、２１及び上枠２２は、内壁１０の厚みよりも幅狭に形成されている。また、図１〜図３及び図４に示すように、内壁１０における壁面の下端部には、幅木３１が取り付けられており、縦枠２１の両側に位置している内壁１０の出隅部には、幅木３１の端部を覆う樹脂成形品であるコーナーパーツ３３が取り付けられている。
【００２３】
前記内壁１０は、図２及び図５に示すように、壁下地材１１、樹脂成形品である長尺のコーナー下地材１４及び壁仕上材（クロス）１７とから構成されており、縦枠２１が、内壁１０の厚み方向の外側に張り出さないように、内壁１０の開口端面を形成している壁下地材１１の間柱１２にビス止めされていると共に、コーナー下地材１４が、縦枠２１と壁下地材１１の下地ボード（石膏ボード）１３とに取り付けられており、このコーナー下地材１４によって内壁１０における端面側のコーナー部が形成されている。なお、縦枠２１は垂直に設置しなければならないが、間柱１２は精度良く施工されているわけではないので、間柱１２と縦枠２１との間には、必要に応じて、隙間調整部材Ｓが挿入されている。なお、図５においては、分かりやすくするために、幅木３１及びコーナーパーツ３３は省略してある。
【００２４】
前記コーナー下地材１４は、図２、図５及び図６に示すように、略９０度の角度をなすように、相互に連設された一対の張出片１５、１５と、一対の張出片１５、１５の連設部である角部を補強するために、各張出片１５、１５の基端部側からそれぞれ張り出したループ状のリブ１６とを備えており、外面には、パテや壁仕上材（クロス）１７の接着強度を高めるために、長手方向に延びる多数の凹条１５ａが形成されていると共に、その内面に両面粘着テープ（図示せず）が予め貼着されている。なお、このコーナー下地材１４は、内壁１０における端面側のコーナー部に柔らかい印象を与えるために、その角部に丸みを持たせてある。
【００２５】
このコーナー下地材１４は、図５に示すように、一方の張出片１５が、縦枠２１の端面に形成された、幅が約２．５ｍｍ、深さが約１２ｍｍの切溝２１ａに接着剤Ａを充填した状態で遊嵌されていると共に、この張出片１５の内面が切溝２１ａにおける壁下地材１１側の壁面に接触するように、他方の張出片１５の内面側が壁下地材１１を構成している下地ボード１３の表面に両面テープ（図示せず）によって貼着されており、切溝２１ａにおけるコーナーパーツ３３の上側には、合成樹脂によって形成された、切溝２１ａの深さよりも２ｍｍ程度短い幅を有する長尺扁平状のパッキン材Ｆが、切溝２１ａにおける縦枠２１の外面側に形成される隙間に、マイナスドライバー等を利用して切溝２１ａの奥まで圧入されている。
【００２６】
また、張出片１５の先端側は、その厚みが０．１〜０．６ｍｍ程度の薄肉状に形成されているが、下地ボード１３の表面との間には僅かな段差が生じているので、その段差部分をパテＰによって埋めることで、下地慣らしが行われている。
【００２７】
前記コーナーパーツ３３は、図２〜図４、図７（ａ）〜（ｃ）及び図８（ａ）、（ｂ）に示すように、略９０度の角度をなすように、相互に連設された、幅木３１の端部における上面及び正面を覆うカバー部３５及び先端が縦枠２１の切溝２１ａに挿入される板状部３６を備えたパーツ本体３４と、パーツ本体３４における板状部３６の裏面から張り出した、カバー部３５との間に幅木３１の端部を挟み込む羽根部材３７と、羽根部材３７の基端部をカバー部３５に連結するリブ３８とから構成されており、カバー部３５には、幅木３１の正面に形成された溝部３２に嵌合する窪み部３５ａが形成されている。
【００２８】
前記羽根部材３７は、その先端側がカバー部３５から幅木３１の延出方向に張り出しており、その張出部分における幅木３１と接触する面には、複数本の縦溝３７ａが形成されている。
【００２９】
また、羽根部材３７は、その上端縁がカバー部３５の窪み部３５ａと略同一高さに位置しており、カバー部３５に対応する部分の下端縁は、カバー部３５の下端縁に一致しているが、カバー部３５から張り出した部分の下端縁は、先端側に向かって上方側に傾斜している。また、リブ３８は、羽根部材３７の基端部における上端縁と、カバー部３５の窪み部３５ａとを連結している。
【００３０】
また、内壁１０を構成している壁仕上材（クロス）１７は、図５に示すように、下地ボード１３からコーナー下地材１４にわたって貼着されており、コーナー下地材１４側の端縁を縦枠２１の切溝２１ａに挿入した状態で、縦枠２１の外面側に形成された切溝２１ａの隙間部分にコーキング剤Ｃが充填されている。
【００３１】
以下、この内壁１０の端部構造の施工方法について説明する。まず、図９（ａ）に示すように、切溝２１ａに接着剤Ａを充填した後、同図（ｂ）に示すように、コーナー下地材１４の一方の張出片１５を、その内面が切溝２１ａにおける壁下地材１１側の壁面に接触するような状態で、縦枠２１の端面に形成された切溝２１ａに挿入すると共に、他方の張出片１５の内面側を壁下地材１１を構成している下地ボード１３の表面に両面テープによって貼着する。
【００３２】
続いて、図１０（ａ）に示すように、合成樹脂によって形成された、切溝２１ａの深さよりも２ｍｍ程度短い幅を有する長尺扁平状のパッキン材Ｆを、切溝２１ａにおける縦枠２１の外面側に形成される隙間に、マイナスドライバー等を利用して切溝２１ａの奥まで圧入した後、同図（ｂ）に示すように、コーナー下地材１４の他方の張出片１５と、下地ボード１３の表面との間に生じた僅かな段差部分をパテＰによって埋めることで、下地慣らしを行う。なお、パッキン材Ｆを切溝２１ａに圧入する際は、切溝２１ａの下端からコーナーパーツ３３の高さ以上の隙間を開けておく必要がある。
【００３３】
次に、図１１に示すように、コーナーパーツ３３の羽根部材３７の張出部における縦溝３７ａの形成面に接着剤Ａを塗布した状態で、幅木３１の端部をカバー部３５と羽根部材３７との間に差し込むと、図１２（ａ）、（ｂ）に示すように、幅木３１の端面がリブ３８に当接することによって位置決めされ、幅木３１の端部表面を覆った状態で、幅木３１の端部にコーナーパーツ３３が接着固定される。
【００３４】
このようにして、幅木３１の端部に接着固定されたコーナーパーツ３３の板状部３６を、縦枠２１の切溝２１ａにおける外面側に形成される隙間に挿入し、幅木３１を壁下地材１１の下地ボード（石膏ボード）１３に釘止めすると、図４に示すように、コーナーパーツ３３が、縦枠２１の両側に位置している内壁１０の出隅部に固定される。
【００３５】
最後に、壁仕上材（クロス）１７を、下地ボード１３側からコーナー下地材１４側に貼着していき、その端縁を縦枠２１の切溝２１ａに挿入した後、図５に示すように、壁仕上材（クロス）１７が挿入された切溝２１ａの隙間部分にコーキング剤Ｃを充填することによって、壁仕上材（クロス）１７の端縁部分を固定する。
【００３６】
以上のように、この内壁１０の端部構造に採用されているコーナーパーツ３３は、一端側のカバー部３５との間に幅木３１の端部を挟み込む羽根部材３７の基端部が、リブ３８によって一端側のカバー部３５に連結されているので、幅木３１の端部をカバー部３５と羽根部材３７との間に差し込んで接着固定し、幅木３１を壁面に釘止めすると、コーナーパーツ３３に掃除機等をぶつけることによって、コーナーパーツ３３自体が回転する方向に外力が加わっても、その外力によって羽根部材３７とカバー部３５とが相対的に開きにくい。従って、今回のように、コーナーパーツ３３の他端側が幅木３１に固定されないため、壁面に十分に固定することができない場合であっても、コーナーパーツ３３全体をその一端側だけで壁面の出隅部に確実に固定することができる。
【００３７】
特に、このコーナーパーツ３３は、羽根部材３７における幅木３１と接触する面に複数の縦溝３７ａが形成されているので、その縦溝３７ａが形成された部分に接着剤Ａを塗布した状態で、幅木３１の端部をカバー部３５と羽根部材３７との間に差し込んで装着すると、複数の縦溝３７ａが形成された羽根部材３７のアンカー効果によって、幅木３１に対する羽根部材３７の接着力が向上する。従って、コーナーパーツ３３が装着された幅木３１を壁面に釘止めすると、コーナーパーツ３３に掃除機等をぶつけることによって、コーナーパーツ３３の端部に外力が加わっても、その外力によって、コーナーパーツ３３が幅木３１から外れることがなく、十分な固定性能を確保することができる。
【００３８】
また、このコーナーパーツ３３は、羽根部材３７が、カバー部３５から幅木３１の延出方向に張り出しており、その張出部分に複数の縦溝３７ａが形成されているので、羽根部材３７に接着剤を塗布しやすく、幅木３１の装着作業性がよいと共に、カバー部３５の長さを短くすることができるので、コンパクトな印象を与えることができる。
【００３９】
また、樹脂成形品であるコーナーパーツ３３は、パーツ本体３４を構成しているカバー部３５の前面に、幅木３１の正面に形成された溝部３２に嵌合する窪み部３５ａが形成されており、その窪み部３５ａにリブ３８が連結されているので、リブ３８が変形することによって、リブ３８の連結部が白化したとしても、目立ちにくく、体裁を損ねることもない。
【００４０】
図１３（ａ）、（ｂ）は、他の実施形態を示している。同図に示すように、このコーナーパーツ３３Ａは、パーツ本体３４Ａの両端部が共に幅木３１ａ、３１ｂの端部に装着されるカバー部３５Ａ、３６Ａである点で、パーツ本体３４の一端側が幅木３１の端部に装着されるカバー部３５で、パーツ本体３４の他端側が縦枠２１の切溝２１ａに挿入される板状部３６であるコーナーパーツ３３とは相違している。
【００４１】
ただし、このコーナーパーツ３３Ａは、同図に示すように、一方のカバー部３５Ａとの間に幅木３１ａの端部を挟み込む、他方のカバー部３６Ａの裏面から張り出した羽根部材３７Ａを有しており、その羽根部材３７Ａの基端部が、リブ３８Ａによって、一方のカバー部３５Ａに連結されているが、他方のカバー部３６Ａとの間に幅木３１ｂの端部を挟み込む羽根部材を有しておらず、他方のカバー部３６Ａに装着される幅木３１ｂは、カバー部３６Ａの裏面に接着固定されるようになっている。
【００４２】
従って、このコーナーパーツ３３Ａを取り付けるには、まず、羽根部材３７Ａの張出部における縦溝３７Ａａの形成面に接着剤を塗布した状態で、幅木３１ａの端部をカバー部３５Ａと羽根部材３７Ａとの間に差し込んで幅木３１ａの端面をリブ３８Ａに当接させた状態で接着固定すると共に、コーナーパーツ３３Ａをコーナー下地材１４に被せたときのカバー部３６Ａの先端から縦枠２１の側面までの距離だけ突出させた状態で幅木３１ｂをカバー部３６Ａの裏面に接着固定し、図１４に示すように、カバー部３６Ａ側の幅木３１ｂの端面を縦枠２１の側面に当接させるように、コーナーパーツ３３Ａを位置決めした状態でコーナー下地材１４に被せ、カバー部３５Ａ側の幅木３１ａを壁下地材１１の下地ボード（石膏ボード）１３に釘止めすることによって取り付けることになる。
【００４３】
図１５（ａ）、（ｂ）は、さらに他の実施形態を示している。同図に示すように、このコーナーパーツ３３Ｂは、パーツ本体３４Ｂの両端部が共に幅木３１ａ、３１ｂの端部に装着されるカバー部３５Ｂ、３６Ｂである点で、上述したコーナーパーツ３３Ａと同様であるが、一方のカバー部３５Ｂ側に羽根部材３７Ｂ１が設けられているだけでなく、他方のカバー部３６Ｂ側にも、羽根部材３７Ｂ２が設けられている点で、コーナーパーツ３３Ａとは異なっている。
【００４４】
一方のカバー部３５Ｂ側の羽根部材３７Ｂ１は、その先端側がカバー部３５Ｂから幅木３１ａの延出方向に張り出しているが、他方のカバー部３６Ｂ側の羽根部材３７Ｂ２は、カバー部３６Ｂから張り出しておらず、双方の羽根部材３７Ｂ１、３７Ｂ２の基端部同士が相互に連結されていると共に、双方の羽根部材３７Ｂ１、３７Ｂ２の基端部における上端縁が、リブ３８Ｂによって、パーツ本体３４Ｂ（カバー部３５Ｂ、３６Ｂ）の裏面に連結されている。
【００４５】
このコーナーパーツ３３Ｂを取り付ける場合も、上述したコーナーパーツ３３Ａの場合と同様に、カバー部３５Ｂ側の羽根部材３７Ｂ１の張出部における縦溝３７Ｂａの形成面に接着剤を塗布した状態で、幅木３１ａの端部をカバー部３５Ｂと羽根部材３７Ｂ１との間に差し込んで幅木３１ａの端面をリブ３８Ｂに当接させた状態で接着固定すると共に、コーナーパーツ３３Ｂをコーナー下地材１４に被せたときのカバー部３６Ｂの先端から縦枠２１の側面までの距離だけ突出させるように、幅木３１ｂをカバー部３６Ｂと羽根部材３７Ｂ２との間に差し込んで接着固定し、図１６に示すように、カバー部３６Ｂ側の幅木３１ｂの端面を縦枠２１の側面に当接させるように、コーナーパーツ３３Ｂを位置決めした状態でコーナー下地材１４に被せ、カバー部３５Ｂ側の幅木３１ａを壁下地材１１の下地ボード（石膏ボード）１３に釘止めすることによって取り付けることになる。
【００４６】
なお、このコーナーパーツ３３Ｂの場合、一方のカバー部３５Ｂ側の羽根部材３７Ｂ１は、他方のカバー部３６Ｂの裏面に連設されていないが、図１７に示すように、羽根部材３７Ｂ１を延ばして他方のカバー部３６Ｂの裏面に連設してもよく、他方のカバー部３６Ｂ側の羽根部材３７Ｂ２の上端縁と他方のカバー部３６Ｂとを連結するリブを省略することも可能である。
【００４７】
また、上述した実施形態では、羽根部材３７の上端縁がカバー部３５の窪み部３５ａと略同一高さに位置している場合について説明したが、これに限定されるものではなく、例えば、図１８（ａ）に示すように、羽根部材３７の高さをカバー部３５と同一高さに設定し、羽根部材３７をカバー部３５の上面板に連結する構成を採用することもできる。
【００４８】
その場合は、同図（ｂ）に示すように、カバー部３５の上面板がリブの役割を果たすことになるので、リブを省略することも可能であり、同図（ｃ）に示すように、羽根部材３７の下端縁をカバー部３５の裏面に連結することも可能である。
【００４９】
また、上述した各実施形態では、幅木用のコーナーパーツについて説明したが、これに限定されるものではなく、廻り縁用のコーナーパーツについても同様の構成を採用することができる。
【産業上の利用可能性】
【００５０】
本発明のコーナーパーツは、一端側を十分に固定することができない場合に利用することができる。
【符号の説明】
【００５１】
１０  内壁
１１  壁下地材
１２  間柱
１３  下地ボード
１４  コーナー下地材
１５  張出片
１５ａ  凹条
１６  リブ
１７  壁仕上材（クロス）
２０  ドア枠
２１  縦枠
２１ａ  切溝
２２  上枠
３１、３１ａ、３１ｂ  幅木
３２  溝部
３３、３３Ａ、３３Ｂ  コーナーパーツ
３４、３４Ａ、３４Ｂ  パーツ本体
３５、３５Ａ、３５Ｂ  カバー部
３５ａ  窪み部
３６  板状部
３６Ａ、３６Ｂ  カバー部
３７、３７Ａ、３７Ｂ１、３７Ｂ２  羽根部材
３７ａ、３７Ａａ、３７Ｂａ  縦溝
３８、３８Ａ、３８Ｂ  リブ
Ａ  接着剤
Ｆ  パッキン材
Ｃ  コーキング剤
Ｐ  パテ
Ｓ  隙間調整部材
【図１】
0005815933.tif 000002
【図２】
0005815933.tif 000003
【図３】
0005815933.tif 000004
【図４】
0005815933.tif 000005
【図５】
0005815933.tif 000006
【図６】
0005815933.tif 000007
【図７】
0005815933.tif 000008
【図８】
0005815933.tif 000009
【図９】
0005815933.tif 000010
【図１０】
0005815933.tif 000011
【図１１】
0005815933.tif 000012
【図１２】
0005815933.tif 000013
【図１３】
0005815933.tif 000014
【図１４】
0005815933.tif 000015
【図１５】
0005815933.tif 000016
【図１６】
0005815933.tif 000017
【図１７】
0005815933.tif 000018
【図１８】
0005815933.tif 000019
【図１９】
0005815933.tif 000020
【図２０】
0005815933.tif 000021
【図２１】
0005815933.tif 000022
【図２２】
0005815933.tif 000023
【図２３】
0005815933.tif 000024